(57)【特許請求の範囲】
【請求項１】
利き手に装着される第一手袋と、利き手ではない手に装着される第二手袋とからなるゴルフ用手袋対であって、
上記第一手袋が掌部を有しており、上記第二手袋が掌部を有しており、
上記第一手袋の掌部の少なくとも一部分が、この部分に対応する第二手袋の掌部の部分に比べて伸縮性又は柔軟性に優れた材料からなり、
この伸縮性又は柔軟性に優れた材料からなる部分の厚みが、この部分に対応する第二手袋における部分の厚みよりも大きい手袋対。
【請求項２】
上記第一手袋の掌部の、親指の付け根に相当する部分が、伸縮性又は柔軟性に優れた材料からなる請求項１に記載の手袋対。
【請求項３】
上記第一手袋の伸縮性又は柔軟性に優れた材料からなる部分の１０％伸張時の引張り荷重Ｆ１の、この部分に対応する第二手袋の部分の１０％伸張時の引張り荷重Ｆ２に対する比（Ｆ１／Ｆ２）が、１．０／１．５以下である請求項１又は２に記載の手袋対。
【請求項４】
利き手に装着される第一手袋と、利き手ではない手に装着される第二手袋とからなるゴルフ用手袋対であって、
上記第一手袋が掌部を有しており、
上記掌部が、親指付け根部と、この親指付け根部以外の部分である主部とを有しており、
上記親指付け根部が、主部に比べて伸縮性又は柔軟性に優れた材料からなり、
この伸縮性又は柔軟性に優れた材料からなる部分の厚みが、この部分に対応する第二手袋における部分の厚みよりも大きい手袋対。
【発明の詳細な説明】
【技術分野】
【０００１】
本発明は、ゴルフプレーヤーに着用される手袋対に関する。詳細には、本発明は、利き手に装着される手袋と、利き手ではない手に装着される手袋とを備えたゴルフ用手袋対に関する。
【背景技術】
【０００２】
ゴルフクラブのグリップは、一般的には、ゴム又はエラストマーから成形されている。ゴルフプレーヤーは、グリップを、手で把持する。スイング時の、このグリップとの摩擦により、手に肉刺ができることがある。肉刺の抑制の目的で、ゴルフプレーヤーは手袋を着用する。通常は、利き手ではない手に、手袋を着用する。例えば、右利きのゴルフプレーヤーは、左手に手袋を着用する。右手には、肉刺は生じないか、生じてもその程度は小さい。従って、右手には手袋は着用されない。一方、左利きのゴルフプレーヤーの場合は、右手に手袋を着用する。
【０００３】
近年、女性のゴルフプレーヤーが増加している。女性のゴルフプレーヤーは、多少の肉刺でも嫌う傾向がある。さらに、女性のゴルフプレーヤーは、日焼けを嫌う傾向がある。利き手の肉刺及び日焼けを防止する目的で、女性のゴルフプレーヤーは、両手に手袋を着用することが多い。男性のゴルフプレーヤーにも、両手に手袋を着用する者がいる。
【０００４】
手袋は、手とグリップとのスリップを抑制する。握力の弱いゴルフプレーヤーにとって、両手の手袋は有効である。両手に着用される手袋対が、特開２００９−２２３８９公報に開示されている。
【先行技術文献】
【特許文献】
【０００５】
【特許文献１】特開２００９−２２３８９公報
【発明の概要】
【発明が解決しようとする課題】
【０００６】
ゴルフのスイング中、利き手でない手の親指の上に、利き手の掌が置かれる。利き手に手袋が着用されると、両手の一体感が得られにくい。さらに、利き手に手袋を着用してこなかったゴルフプレーヤーが、利き手に手袋を着用すると、フィット感が得られにくい。一体感及びフィット感の欠如は、スイングを乱す。一体感及びフィット感の欠如により、ヘッド速度が低下する現象が見られる。
【０００７】
本発明の目的は、一体感及びフィット感に優れたゴルフ用手袋対の提供にある。
【課題を解決するための手段】
【０００８】
本発明に係るゴルフ用手袋対は、利き手に装着される第一手袋と、利き手ではない手に装着される第二手袋とからなる。第一手袋は、掌部を有している。第二手袋は、掌部を有している。第一手袋の掌部の少なくとも一部分が、この部分に対応する第二手袋の掌部の部分に比べて、伸縮性又は柔軟性に優れた材料からなる。
【０００９】
好ましくは、伸縮性又は柔軟性に優れた材料からなる部分の厚みは、この部分に対応する第二手袋における部分の厚みよりも、大きい。
【００１０】
好ましくは、第一手袋の掌部の、親指の付け根に相当する部分が、伸縮性又は柔軟性に優れた材料からなる。
【００１１】
好ましくは、第一手袋の伸縮性又は柔軟性に優れた材料からなる部分の１０％伸張時の引張り荷重Ｆ１の、この部分に対応する第二手袋の部分の１０％伸張時の引張り荷重Ｆ２に対する比（Ｆ１／Ｆ２）は、１．０／１．５以下である。
【００１２】
他の観点によれば、本発明に係るゴルフ用手袋対は、利き手に装着される第一手袋と、利き手ではない手に装着される第二手袋とからなる。第一手袋は、掌部を有している。この掌部は、親指付け根部と、この親指付け根部以外の部分である主部とを有している。この親指付け根部は、主部に比べて伸縮性又は柔軟性に優れた材料からなる。
【００１３】
さらに他の観点によれば、本発明に係るゴルフ用手袋は、掌部を備える。この掌部は、親指付け根部と、この親指付け根部以外の部分である主部とを有している。この親指付け根部は、主部に比べて伸縮性又は柔軟性に優れた材料からなる。この手袋は、利き手に装着される。
【発明の効果】
【００１４】
本発明に係る手袋対は、一体感及びフィット感に優れる。この手袋対は、スイングを妨げない。
【図面の簡単な説明】
【００１５】
【図１】図１は、本発明の一実施形態に係る手袋対の右手用手袋が示された正面図である。
【図２】図２は、図１の右手用手袋が示された背面図である。
【図３】図３は、図１のIII−III線に沿った拡大断面図である。
【図４】図４は、図１の右手用手袋と対をなす左手用手袋が示された正面図である。
【図５】図５は、図４の左手用手袋が示された背面図である。
【図６】図６は、図４のVI−VI線に沿った拡大断面図である。
【発明を実施するための形態】
【００１６】
以下、適宜図面が参照されつつ、好ましい実施形態に基づいて本発明が詳細に説明される。
【００１７】
本発明に係るゴルフ用手袋対は、右手用手袋（第一手袋）と左手用手袋（第二手袋）とからなる。図１から３には、右手用手袋２が示されている。この右手用手袋２は、右利きのゴルフプレーヤーに着用される。換言すれば、この右手用手袋２は、利き手に着用される。左利きのゴルフプレーヤーの左手に着用される手袋は、図１から３に示された右手用手袋２の形状がミラー反転した形状を有する。
【００１８】
図１には、掌側から見られた右手用手袋２が示されている。図２には、甲側から見られた右手用手袋２が示されている。この手袋２は、掌側地４、甲側地６及びマチ８からなる。掌側地４と甲側地６とは、接合されている。接合は、部分的には、掌側地４と甲側地６とが縫合されることで達成されている。さらに、接合は、部分的には、マチ８を介して達成されている。マチ８の材質は、ニットである。ニットとは、編み物又は編み物に似せて織られた織物を意味する。
【００１９】
掌側地４は、掌部１０、親指部１２、人差し指部１４、中指部１６、薬指部１８及び小指部２０からなる。掌部１０は、主部２２と親指付け根部２４とからなる。主部２２と親指付け根部２４とは、糸２６によって縫合されている。図３から明らかなように、親指付け根部２４の厚みは、主部２２の厚みより大きい。親指付け根部２４は、親指部１２とも、糸２７によって縫合されている。
【００２０】
親指部１２、人差し指部１４、中指部１６、薬指部１８及び主部２２は、第一素材からなる。小指部２０は、第二素材からなる。親指付け根部２４は、ニットからなる。
【００２１】
第一素材は、合成皮革である。織物に合成樹脂が塗布されることにより、合成皮革が得られる。親指部１２、人差し指部１４、中指部１６、薬指部１８及び主部２２は、ゴルフクラブのグリップと直接に接触する部分である。右手用手袋２とゴルフクラブのグリップとのスリップを抑制する目的で、第一素材として、摩擦係数の大きい合成皮革が用いられている。しっとり感のある合成樹脂が織物に塗布されることにより、摩擦係数の大きい合成皮革が得られうる。親指部１２、人差し指部１４、中指部１６、薬指部１８及び主部２２に、表面に多数の微小凹凸模様を備えた合成皮革が用いられてもよい。この凹凸模様によって、右手用手袋２とグリップとのスリップが抑制されうる。
【００２２】
第二素材は、他の合成皮革である。スイングのとき、小指部２０は、左手用手袋と当接する。スイング中の小指部２０の、左手用手袋との引っかかりを防止する目的で、第二素材として、摩擦係数の小さい合成皮革が用いられている。さらっと感のある合成樹脂が織物に塗布されることにより、摩擦係数の小さい合成皮革が得られうる。
【００２３】
甲側地６も、第二素材からなる。前述の通り、第二素材はさらっと感を有している。この甲側地６は、べとつかない。
【００２４】
第一素材として、天然皮革又は人工皮革が用いられてもよい。第二素材として、天然皮革又は人工皮革が用いられてもよい。
【００２５】
図４から６には、左手用手袋３０が示されている。この左手用手袋３０は、右利きのゴルフプレーヤーに着用される。換言すれば、この左手用手袋３０は、利き手ではない手に着用される。左利きのゴルフプレーヤーの右手に着用される手袋は、図４から６に示された左手用手袋３０の形状がミラー反転した形状を有する。
【００２６】
図４には、掌側から見られた左手用手袋３０が示されている。図５には、甲側から見られた左手用手袋３０が示されている。この手袋３０は、掌側地３２、甲側地３４及びマチ３６からなる。掌側地３２と甲側地３４とは、接合されている。接合は、部分的には、掌側地３２と甲側地３４とが縫合されることで達成されている。さらに、接合は、部分的には、マチ３６を介して達成されている。マチ３６の材質は、ニットである。
【００２７】
掌側地３２は、掌部３８、親指部４０、人差し指部４２、中指部４４、薬指部４６及び小指部４８からなる。掌部３７は、主部５０と親指付け根部５２とからなる。主部５０と親指付け根部５２とは、糸５４によって縫合されている。図６から明らかなように、親指付け根部５２の厚みは、主部５０の厚みと同じである。親指部４０と親指付け根部５２とは、一体である。
【００２８】
掌側地３２は、第一素材からなる。前述の通り、第一素材は摩擦係数の大きい合成皮革である。掌側地３２は、ゴルフクラブのグリップと直接に接触する部分である。第一素材により、左手用手袋３０とグリップとのスリップが抑制される。掌側地３２に、表面に多数の凹凸模様を備えた合成皮革が用いられてもよい。この凹凸模様によって、左手用手袋３０とグリップとのスリップが抑制される。
【００２９】
甲側地３４は、第二素材からなる。前述の通り、第二素材はさらっと感を有している。この甲側地３４は、べとつかない。
【００３０】
第一素材として、天然皮革又は人工皮革が用いられてもよい。第二素材として、天然皮革又は人工皮革が用いられてもよい。
【００３１】
前述の通り、右手用手袋２の親指付け根部２４はニットからなり、右手用手袋２の主部２２は第一素材（合成皮革）からなる。親指付け根部２４は、主部２２に比べて、伸縮性及び柔軟性に優れている。
【００３２】
前述の通り、右手用手袋２の親指付け根部２４はニットからなり、左手用手袋３０の親指付け根部５２は第一素材（合成皮革）からなる。右手用手袋２の親指付け根部２４は、左手用手袋３０の親指付け根部５２に比べて、伸縮性及び柔軟性に優れている。
【００３３】
スイングの時、右手用手袋２の親指付け根部２４は、ゴムグリップと接触しない。この親指付け根部２４には、大きな摩擦係数は必要ない。さらに、この親指付け根部２４には、優れた耐摩耗性も必要ない。従って、この親指付け根部２４に、皮革に代えてニットが採用されうる。
【００３４】
スイングの時、右手用手袋２の親指付け根部２４は、左手用手袋３０の甲側地３４と当接する。伸縮性及び柔軟性に優れた親指付け根部２４は、スイング中のフィット感を高める。さらにこの親指付け根部２４は、右手と左手との一体感を高める。この手袋対を着用したゴルフプレーヤーは、違和感なくゴルフクラブをスイングできる。この手袋対は、スイング速度を高めうる。
【００３５】
右手用手袋２の親指付け根部２４に、ニット以外の素材が用いられてもよい。ニット以外の素材としては、伸縮性に優れた合成皮革及び伸縮性に優れた人工皮革が例示される。
【００３６】
右手用手袋２の親指付け根部２４の１０％伸張時の引張り荷重Ｆ１の、左手用手袋３０の親指付け根部５２の１０％伸張時の引張り荷重Ｆ２に対する比（Ｆ１／Ｆ２）は、１．０／１．５以下である。比（Ｆ１／Ｆ２）が１．０／１．５以下である手袋対は、フィット感及び一体感に優れる。この観点から、比（Ｆ１／Ｆ２）は、１．０／３．０以下がより好ましく、１．０／５．０以下が特に好ましい。比（Ｆ１／Ｆ２）は、１．０／５０．０以上が好ましい。
【００３７】
引張り荷重Ｆ１及びＦ２は、引張り試験機によって測定されうる。試験片は、短冊状である。この試験片の幅は５０ｍｍであり、長さは３００ｍｍである。標線間距離は５０ｍｍであり、引張り速度は２００ｍｍ／ｍｉｎである。試験片は、手袋の原反から切り出される。試験は、２３℃の環境下で行われる。
【００３８】
親指付け根部の伸縮性に方向性がある場合、最も引張り荷重が小さい方向と、これに直交する方向とにおいて、測定がなされる。両者が平均されて、引張り荷重Ｆ１又はＦ２が算出される。
【００３９】
右手用手袋２の親指付け根部２４の厚みＴ１は、左手用手袋３０の親指付け根部５２の厚みＴ２よりも大きい。この手袋対では、柔軟でかつ厚みＴ１が大きい親指付け根部２４により、優れた一体感及びフィット感が達成されうる。この観点から、比（Ｔ１／Ｔ２）は１．２／１．０以上が好ましく、１．４／１．０以上が特に好ましい。親指付け根部２４の厚みＴ１は、０．５ｍｍ以上１．５ｍｍ以下が好ましく、０．７ｍｍ以上１．０ｍｍ以下が特に好ましい。
【００４０】
利き手用手袋が、単独で販売されてもよい。この利き手用手袋が、利き手ではない手用の手袋と、組み合わされて用いられる。
【実施例】
【００４１】
以下、実施例によって本発明の効果が明らかにされるが、この実施例の記載に基づいて本発明が限定的に解釈されるべきではない。
【００４２】
［実施例１］
図１から６に示される手袋対を製作した。この手袋対では、右手用手袋の親指付け根部は合成皮革Ａからなり、右手用手袋の主部は合成皮革Ｂからなり、左手用手袋の掌部は合成皮革Ｂからなる。合成皮革Ａは、合成皮革Ｂに比べて伸縮性に優れる。
【００４３】
［実施例２］
右手用手袋の親指付け根部をニットＣから製作した他は実施例１と同様にして、実施例２の手袋対を得た。ニットＣは、合成皮革Ｂに比べて伸縮性に優れる。
【００４４】
［実施例３］
右手用手袋の親指付け根部をニットＤから製作した他は実施例１と同様にして、実施例３の手袋対を得た。ニットＤは、合成皮革Ｂに比べて伸縮性に優れる。ニットＤの厚みは、合成皮革Ｂの厚みに比べて大きい。
【００４５】
［比較例１］
右手用手袋の親指付け根部を合成皮革Ｂから製作した他は実施例１と同様にして、比較例１の手袋対を得た。
【００４６】
［フィーリングの評価］
手袋対を着用した女性のゴルフプレーヤーにゴルフクラブを把持させ、一体感及びフィット感を評価させた。この結果が、下記の表１に示されている。数値が大きいほど、好ましい。
【００４７】
［ヘッド速度の測定］
手袋対を着用した女性のゴルフプレーヤーに、ドライバーにてゴルフボールを打撃させた。この打撃の直前のヘッド速度を、測定した。１０回の測定の結果の平均値が、下記の表１に示されている。
【００４８】
【表１】
0005859800.tif 000002
【００４９】
表１に示されるように、各実施例の手袋対は、フィーリングに優れている。さらに、各実施例の手袋対を着用することで、ヘッド速度が高まっている。この評価結果から、本発明の優位性は明らかである。
【産業上の利用可能性】
【００５０】
本発明に係る手袋対は、女性のゴルフプレーヤーのみならず、男性のゴルフプレーヤーにも適している。
【符号の説明】
【００５１】
２・・・右手用手袋
４、３２・・・掌側地
６、３４・・・甲側地
８、３６・・・マチ
１０、３８・・・掌部
２２、５０・・・主部
２４、５２・・・親指付け根部
３０・・・左手用手袋
【図１】
0005859800.tif 000003
【図２】
0005859800.tif 000004
【図３】
0005859800.tif 000005
【図４】
0005859800.tif 000006
【図５】
0005859800.tif 000007
【図６】
0005859800.tif 000008